(57)【要約】【課題】プレートに対するカバーの外れを防止できる照明器具を提供すること。【解決手段】照明器具１が、光源と外周側に設けられた複数の取付ばね５２を有する照明本体５０、埋設孔３を有する天井板２の上面に載置され、上から見たとき埋設孔３に重なる箇所に配置される照明本体挿通孔を有するプレート３０、及び天井板２の下側に配置され、プレート３０に固定される固定部を有するカバー４０を備えるようにする。取付ばね５２は、カバー４０に係止される。プレート３０に対するカバー４０の固定が緩むか又はその固定ができなくなってカバー４０がプレート３０に対してその厚さ方向に離れるように相対移動したときに、プレート３０の上面に係止される１以上のプレート係止部４６ｂをカバー４０に設ける。【選択図】図１
2019212375.tif 000002
【特許請求の範囲】
【請求項１】
光源、及び外周側に設けられた複数の取付ばねを有する照明本体と、
埋設孔を有する天井板の上面に載置され、高さ方向から見たとき前記埋設孔に重なる箇所に配置される貫通孔を有するプレートと、
前記天井板の下側に配置され、前記プレートに固定するための固定部を含むカバーと、
を備え、
前記取付ばねは、前記プレートと前記カバーの少なくとも一方に係止され、
前記カバーには、前記プレートに対する前記カバーの固定が緩むか又はその固定ができなくなって前記カバーが前記プレートに対してその厚さ方向に離れるように相対移動したときに前記プレートの上面に係止される１以上のプレート係止部が設けられる、照明器具。
【請求項２】
前記複数の取付ばねに対応する周方向位置に前記貫通孔に連通するように互いに間隔をおいて設けられ、径方向の外側に窪むと共に前記取付ばねの延在方向の一部を収容する複数の逃がし部が、前記プレートに設けられた、請求項１に記載の照明器具。
【請求項３】
前記カバーは、円環状の板状部と、その板状部から上側に延在する複数の略Ｌ字状の引掛部とを有し、
前記プレート係止部は、前記引掛部の上側端部に位置して径方向の外側に延在し、
前記板状部の重心と、前記複数の引掛部の重心は、互いに異なる、請求項１又は２に記載の照明器具。
【請求項４】
前記プレートは、前記埋設孔に対する径方向の移動を制限すると共に高さ方向の一方側に突出する位置決め突出部と、縁部に設けられると共に前記高さ方向の他方側に折り曲げられて前記高さ方向の他方側に突出する補強リブとを含み、
前記補強リブは、前記プレートが前記高さ方向の他方側が下側になるように前記上面に載置されたときに前記埋設孔に嵌り込んで前記埋設孔に対する前記プレートの前記径方向の移動を制限する凸部を含む、請求項１乃至３のいずれか１つに記載の照明器具。
【発明の詳細な説明】
【技術分野】
【０００１】
本開示は、照明器具に関する。
【背景技術】
【０００２】
従来、照明器具としては、特許文献１に記載されているものがある。この照明器具は、天井孔を有する天井板に取り付けられ、光源を有する照明本体と、リニューアルプレートと、カバーを備える。リニューアルプレートは、大型の照明器具を設置するための大きな天井孔にコンパクトな照明器具を設置するための板状部材である。リニューアルプレートは、天井の上面に載置されて天井孔に対して位置決めされ、カバーは、天井の下面側に配置される。照明本体は、カバーに係止され、カバーは、取付ねじでリニューアルプレートに取り付けられる。
【先行技術文献】
【特許文献】
【０００３】
【特許文献１】特開２０１２−７４２１５号公報
【発明の概要】
【発明が解決しようとする課題】
【０００４】
天井が高い場合、取付ねじの緩みに気づきにくいことがある。係る背景において、取付ねじが緩んで外れた場合でも、カバーがリニューアルプレートから落下しない構造を実現できれば、照明本体の落下を防止できる。よって、人の安全に万全を期すことができ、大きな意義がある。
【０００５】
そこで、本開示の目的は、プレートに対するカバーの外れを防止できる照明器具を提供することにある。
【課題を解決するための手段】
【０００６】
上記課題を解決するため、本開示の照明器具は、光源、及び外周側に設けられた複数の取付ばねを有する照明本体と、埋設孔を有する天井板の上面に載置され、高さ方向から見たとき埋設孔に重なる箇所に配置される貫通孔を有するプレートと、天井板の下側に配置され、プレートに固定するための固定部を含むカバーと、を備え、取付ばねは、プレートとカバーの少なくとも一方に係止され、カバーには、プレートに対するカバーの固定が緩むか又はその固定ができなくなってカバーがプレートに対してその厚さ方向に離れるように相対移動したときにプレートの上面に係止される１以上のプレート係止部が設けられる。
【発明の効果】
【０００７】
本開示に係る照明器具によれば、プレートに対するカバーの固定が緩むか又はその固定ができなくなっても、プレートに対するカバーの外れを防止でき、照明本体の落下を防止できる。
【図面の簡単な説明】
【０００８】
【図１】本開示の一実施形態に係る照明器具を、天井取付部と、照明本体に分解したときの分解斜視図である。
【図２】照明本体を下側から見たときの斜視図である。
【図３】照明本体における化粧板以外の構造への化粧板の取り付けについて説明する図である。
【図４】天井取付部のプレートを上側から見たときの斜視図である。
【図５】プレートを下側から見たときの斜視図である。
【図６】取付ねじが締め込まれた状態の天井取付部のカバーを上側から見たときの斜視図である。
【図７】取付ねじが締め込まれた状態のカバーを下側から見たときの斜視図である。
【図８】プレートへのカバーの取り付けについて説明する図である。
【図９】プレートへのカバーの取り付けについて説明する図である。
【図１０】カバーがプレートに対して適切に固定されている状態の天井取付部を示す斜視図である。
【図１１】プレートに対するカバーの固定が緩むか又はその固定ができなくなった状態の天井取付部を示す斜視図である。
【発明を実施するための形態】
【０００９】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、複数の図面には、模式図が含まれ、異なる図間において、各部材における、縦、横、高さの寸法比は、必ずしも一致しない。また、本明細書では、下側とは、高さ方向の投光側のことを指し、上側とは、高さ方向の投光側とは反対側を指す。より詳しくは、以下の説明で、上下方向に関連する文言、例えば、下側、上側、水平方向等を用いた場合、それらの文言は、照明器具１からの出射光が鉛直方向下側に照射され、その出射光の光軸が鉛直方向に一致している状態で表現されている。すなわち、本実施例では、照明器具１が、高さ方向が鉛直方向に一致するように配置される場合を例に説明を行う。なお、照明器具１は、高さ方向が、鉛直方向に傾斜する方向に一致する状態で用いられてもよい。
【００１０】
図１は、本開示の一実施形態に係る照明器具１を、天井取付部１０と、照明本体５０に分解したときの分解斜視図である。また、図２は、照明本体５０を下側から見たときの斜視図である。
【００１１】
図１に示すように、照明本体５０は、外周側の側部に取り付けられた複数の取付ばね５２を含む。また、図２に示すように、照明本体５０は、底部に取り付けられたＬＥＤユニット５４を含む。ＬＥＤユニット５４は、光源の一例であり、基板と、基板に実装された複数のＬＥＤ５３を含む。また、照明本体５０は、筒状部を有し、筒状部の上側（後側）には、放熱フィン５１が取り付けられ、筒状部の下側（前側）には、レンズ５５が取り付けられる。放熱フィン５１は、ＬＥＤユニット５４で生成された熱を効率的に外部に放熱するために設けられ、ＬＥＤ５３の熱劣化を抑制するために設けられる。
【００１２】
図１に示すように、照明本体５０は、その上部にブラケット５６を介して取り付けられた電源ユニット５７及び電源端子台５８を有し、電源端子台５８は、電源ユニット５７に電気的に接続されている。電源端子台５８は、外部の電源回路に電気的に接続されると共に電源ユニット５７に電気的に接続される。電源ユニット５７は、ＬＥＤユニット５４においてＬＥＤ５３が実装されている不図示の基板に設けられたプリント回路に電気的に接続され、プリント回路に所定の直流電流を与えてＬＥＤ５３を発光させる。
【００１３】
取付ばね５２は、照明本体５０に対して斜め上方に延在する。後述するが、天井取付部１０は、天井板２の厚さ方向（鉛直方向）から見たとき天井板２の埋設孔３に重なる箇所に略円形の貫通孔４を有する。また、貫通孔４において複数の取付ばね５２に周方向に対応する縁部箇所には、貫通孔４に連通すると共に径方向の外側に窪む凹部４７が設けられる。また、その凹部４７の径方向外側には、高さ方向に延在する切起側壁部４８が設けられる。
【００１４】
照明本体５０は、取付ばね５２が凹部４７内を上側に移動するように貫通孔４に下方から矢印Ａで示す方向に挿入され、その際、取付ばね５２は、切起側壁部４８の径方向の内側面に沿うように弾性変形する。取付ばね５２は、照明本体５０が貫通孔４に挿入された後に、外径が大きくなるように弾性復元する。これにより、照明本体５０を天井板２に対して上昇させる押上力が照明本体５０に付与され、照明本体５０が天井取付部１０に取り付けられる。
【００１５】
照明本体５０としては、公知の如何なる埋込式照明装置（所謂ダウンライト）を採用してもよい。照明本体５０の構造については、詳述しないが、図２に示すように、照明本体５０は、厚みの薄い金属製板部材を用いて円環形状に形成された化粧板１４を備える。化粧板１４は、照射孔２６を中央部に有すると共に、起立板２７を外周縁に有する。化粧板１４の下面は、意匠性を有する。図３に示すように、照明本体５０における化粧板１４以外の構造６０を、化粧板１４の下側から矢印Ｂで示す方向に化粧板１４の照射孔２６に挿入する。この挿入により、化粧板１４が上記構造６０における取付ばね５２よりも下側に取り付けられる。
【００１６】
次に、天井取付部１０の構造について説明する。図１に示すように、天井取付部１０は、埋設孔３を有する天井板２の上面に載置されるプレート（当て板）３０と、天井板２の下側に配置されるカバー４０を備える。図４は、プレート３０を上側から見たときの斜視図であり、図５は、プレート３０を下側から見たときの斜視図である。また、図６は、取付ねじ８が締め込まれた状態のカバー４０を上側から見たときの斜視図であり、図７は、取付ねじ８が締め込まれた状態のカバー４０を下側から見たときの斜視図である。
【００１７】
図４に示すように、プレート３０は、厚みの薄い金属製板部材で構成されて外形が矩形に形成されたプレート本体３５を有する。プレート３０は、プレート本体３５の中央部に円形の貫通孔である照明本体挿通孔３６を有し、照明本体挿通孔３６の周りに一対のねじ孔３７を有する。また、プレート３０は、照明本体５０の取付ばね５２に対応した周方向位置に複数の逃がし部３８を含み、逃がし部３８は、取付ばね５２が収まる大きさを有する。逃がし部３８は、照明本体挿通孔３６に連通して照明本体挿通孔３６から径方向の外方に延びる窪み（凹部）で構成される。
【００１８】
プレート３０は、プレート本体３５の外縁に補強リブ３９を有する。補強リブ３９は、プレート本体３５から高さ方向上側に折り曲げられて高さ方向上側に突出する。補強リブ３９は、プレート本体３５の長手方向の外縁に沿うように延在する一対の第１補強リブ部３９ａと、プレート本体３５の幅方向の外縁に沿うように延在する一対の第２補強リブ部３９ｂを有する。また、第１補強リブ部３９ａは、その延在方向の中央部に上側に突出する凸部３９ｃを含む。
【００１９】
図５に示すように、プレート３０は、プレート本体３５の下面３５ａの照明本体挿通孔３６の外側に、下面３５ａから下側に突出する複数の第１位置決め突起３１と、下面３５ａから下側に突出する複数の第２位置決め突起３２を有する。複数の第１位置決め突起３１は、照明本体挿通孔３６の中心からの距離が略同一である。また、複数の第２位置決め突起３２も、照明本体挿通孔３６の中心からの距離が略同一であり、その距離は、第１位置決め突起３１と照明本体挿通孔３６の中心との距離よりも長い。
【００２０】
複数の第１又は第２位置決め突起３１,３２は、天井板２（図１参照）の埋設孔３の内周面に沿うように下側に突出する。複数の第１又は第２位置決め突起３１,３２を埋設孔３の内周面に係合することで、プレート３０は、埋設孔３と同心になるように所定位置に位置決めされ、径方向の移動が制限される。本実施例では、プレート３０が、複数の第１位置決め突起３１と、複数の第２位置決め突起３２を有する。よって、プレート３０を内径が異なる２つの埋設孔に対して位置決めでき、プレート３０の汎用性を高くできる。なお、プレートは、照明本体挿通孔３６の中心からの距離が略同一の複数の位置決め突起を、１組のみ有してもよく、３組以上有してもよい。
【００２１】
図６に示すように、カバー４０は、プレート３０と同様に、厚みの薄い金属製板部材を用いて構成されるカバー本体４１を有する。カバー本体４１は、円環状の板状部であり、内周部に照明本体挿通孔４２を有すると共に、円板状のフランジ部４３を有する。また、カバー４０は、フランジ部４３の内周側に上側に突出する環状突出部４５を有する。環状突出部４５は、高さ方向から見たときプレート３０のねじ孔３７に重なるねじ孔を有し、そのねじ孔には、取付ねじ８が締め込まれる。カバー４０のねじ孔は、プレート３０に固定するために固定部の一例である。
【００２２】
カバー４０は、更に、複数の略Ｌ字状の引掛部４６を備える。各引掛部４６は、環状突出部４５の上面から高さ方向上側に突出する。引掛部４６は、環状突出部４５の上面から高さ方向に延在する柱部４６ａと、柱部４６ａの先端部から径方向外側に延在するプレート係止部４６ｂを含む。図１に示すように、プレート３０に対するカバー４０の固定が適切になされている状態において、プレート係止部４６ｂは、プレート３０の上面３０ａに対して高さ方向に間隔をおいて位置し、高さ方向から見たときプレート３０の上面３０ａに重なる。カバー４０がプレート３０に対して適切に固定されている状態では、取付ねじ８が十分に締め込まれ、取付ねじ８の軸部８ａが、プレート３０から上方に突出する。図６に示すように、複数の引掛部４６は、カバー本体４１の重心に対して非対称に配置され、カバー本体４１の重心と、複数の引掛部４６の重心は、互いに異なる。
【００２３】
カバー４０は、更に、上述の凹部４７と、上述の切起側壁部４８を有する。凹部４７は、照明本体挿通孔４２において複数の取付ばね５２（図２参照）に周方向に対応する箇所に設けられる。また、切起側壁部４８は、凹部４７における径方向外方の底部から高さ方向上側に起立し、高さ方向に延在する。
【００２４】
プレート３０及びカバー４０は、例えば次のように天井板２に取り付けられる、図１を参照して、先ず、プレート３０を天井板２の埋設孔３の下側から埋設孔３に挿通し、天井板２よりも上側に移動させる。図１に示すように、プレート３０の幅方向寸法は、埋設孔３の直径よりも短い。よって、プレート３０が埋設孔３を通過可能になる。その後、第１又は第２位置決め突起３１,３２（図５参照）を、天井板２（図１参照）の埋設孔３の内周面に沿うように下側に突出させ、プレート３０を埋設孔３に対して位置決めする。
【００２５】
次に、プレート３０に対してカバー４０を固定する。詳しくは、図８に示すように、カバー４０の一つの引掛部４６を、プレート３０の逃がし部３８から挿入し、カバー４０をプレート３０に対して片寄せする。続いて、図９に示すように、他の引掛部４６を、他の逃がし部３８に挿入する。その後、カバー４０をプレート３０に対して互いのねじ孔位置が合うまで周方向に回転させる。続いて、その位置でカバー４０における環状突出部４５（図６参照）を、フランジ部４３の上面が天井板の２の下面に当接するまで、プレート３０の照明本体挿通孔３６に下側から挿通する。最後に、各取付ねじ８を下側からプレート３０のねじ孔とカバー４０のねじ孔３７に締め込むことで、カバー４０がプレート３０に固定される。
【００２６】
図７に示すように、取付ばね５２を収容するカバー４０の凹部４７は、下側から見たとき視認できるようになっている。よって、照明本体５０（図１参照）を天井取付部１０の貫通孔４に周方向に正確に位置合わせした状態で挿通固定できる。上述のように、照明本体５０は、取付ばね５２をカバー４０の切起側壁部４８に沿うように弾性変形させながら、カバー４０の照明本体挿通孔４２及びプレート３０の照明本体挿通孔３６に下方から挿通される。そして、その過程で、各取付ばね５２が、外径が大きくなるように弾性復元する。取付ばね５２は、カバー４０の凹部４７に位置し、下方への押下力をカバー４０に付与する。その結果、照明本体５０が、その押下力に対する反力でプレート３０に安定に保持される。
【００２７】
以上、照明器具１は、光源としてのＬＥＤユニット５４、及び外周側に設けられた複数の取付ばね５２を有する照明本体５０を備える。また、照明器具１は、埋設孔３を有する天井板２の上面に載置され、高さ方向から見たとき埋設孔３に重なる箇所に配置される照明本体挿通孔３６を有するプレート３０を備える。また、照明器具１は、天井板２の下側に配置され、プレート３０に固定するためのねじ孔（固定部）を含むカバー４０を備える。取付ばね５２は、カバー４０に係止される。図１０に示すように、カバー４０は、それがプレート３０に対して適切に固定されている状態で、プレート３０の上面３０ａに対して高さ方向に間隔をおいて位置すると共に高さ方向から見たときプレート３０の上面３０ａに重なるプレート係止部４６ｂを有する。
【００２８】
したがって、図１１に示すように、取付ねじ８が緩むか外れて、プレート３０に対するカバー４０の固定が緩むか又はその固定ができなくなって、カバー４０がプレート３０に対してその厚さ方向に離れるように相対移動したとしても、プレート係止部４６ｂがプレート３０の上面３０ａに係止される。よって、プレート３０に対するカバー４０の固定が緩むか又はその固定ができなくなっても、プレート３０がカバー４０に係止されてカバー４０から離脱することがなく、プレート３０に対するカバー４０の外れを防止でき、照明本体５０の落下を防止できる。
【００２９】
また、複数の取付ばね５２に対応する周方向位置に照明本体挿通孔３６に連通するように互いに間隔をおいて設けられ、径方向の外側に窪むと共に取付ばね５２の延在方向の一部を収容する複数の逃がし部３８が、プレート３０に設けられてもよい。
【００３０】
上記構成によれば、照明本体５０の取付ばね５２をプレート３０の逃がし部３８に収容できる。したがって、プレート３０に対するカバー４０の周方向の相対位置と、プレート３０に対する照明本体５０の周方向の相対位置を確定できる。よって、高さ方向から見たとき、プレート係止部４６ｂが、逃がし部３８に重ならないようにでき、プレート３０の上面３０ａに確実に重なるようにできる。その結果、取付ねじ８が緩むか外れて、プレート３０に対するカバー４０の固定が緩むか又はその固定ができなくなった際に、プレート係止部４６ｂをプレート３０の上面３０ａに確実に係止できる。
【００３１】
更には、上述のように、カバー４０をプレート３０に取り付ける際に、プレート係止部４６ｂを含む引掛部４６を一時的に逃がし部３８に収容できる。その結果、カバー４０をプレート３０に取り付け易くなる。
【００３２】
また、カバー４０は、円環状の板状部としてのカバー本体４１と、カバー本体４１から上側に延在する複数の略Ｌ字状の引掛部４６を有してもよい。また、プレート係止部４６ｂは、引掛部４６の上側端部に位置して径方向の外側に延在してもよい。また、カバー本体４１の重心と、複数の引掛部４６の重心は、互いに異なってもよい。
【００３３】
上記構成によれば、カバー本体４１の重心と、複数の引掛部４６の重心が、互いに異なる。したがって、取付ねじ８が緩むか外れて、プレート３０に対するカバー４０の固定が緩むか又はその固定ができなくなった際、カバー４０が、プレート３０に対して傾斜し、水平面に対して傾斜する。よって、その傾斜によって、人が、プレート３０に対するカバー４０の固定の緩みや解除を容易に認識でき、その認識に基づいてプレート３０に対するカバー４０の再度の固定を実行できる。
【００３４】
また、プレート３０は、埋設孔３に対する径方向の移動を制限すると共に高さ方向の一方側（高さ方向の下側）に突出する複数の第１及び第２位置決め突起３１,３２を含んでもよい。また、プレート３０は、縁部に設けられると共に高さ方向の他方側（高さ方向の上側）に折り曲げられて高さ方向の他方側に突出する補強リブ３９を含んでもよい。また、補強リブ３９は、プレート３０が高さ方向の他方側が下側になるように天井板２の上面に載置されたときに埋設孔３に嵌り込んで埋設孔３に対するプレート３０の径方向の移動を制限する凸部３９ｃを含んでもよい。
【００３５】
上記構成によれば、プレート３０が、その縁部に補強リブ３９を有するので、プレート３０の剛性を大きくでき、プレート３０の強度を大きくできる。また、プレート３０が適切に配置された場合に、複数の第１又は第２位置決め突起３１,３２を、埋設孔３の内周面に沿わせるように埋設孔３に係止できる。したがって、プレート３０が適切に配置された場合に、プレート３０を埋設孔３に対して位置決めできる。更には、プレート３０が、誤って補強リブ３９の先端部が下側になるように天井板２の上面に載置された場合でも、凸部３９ｃの延在方向の両端部を、埋設孔３の内周面に沿わせるように埋設孔３に係止できる。よって、仮に、プレート３０が表裏を間違って天井板２の上面に載置された場合でも、プレート３０を埋設孔３に対して位置決めできる。
【００３６】
なお、本開示は、上記実施形態およびその変形例に限定されるものではなく、本願の特許請求の範囲に記載された事項およびその均等な範囲において種々の改良や変更が可能である。
【００３７】
例えば、上記実施形態では、カバー４０がプレート３０に取付ねじ８で固定される場合について説明した。しかし、カバーはプレートに取付ねじ以外の固定手段で固定されてもよく、例えば、接着剤、溶接、スナップフィット、又はインロー構造等で固定されてもよい。また、照明本体５０の取付ばね５２が、カバー４０に係止される場合について説明した。しかし、照明本体の取付ばねは、プレートに係止されてもよく、カバーとプレートの両方に係止されてもよい。
【００３８】
また、プレート３０が、取付ばね５２の一部が収容される逃がし部３８を有する場合について説明した。しかし、プレートは、そのような逃がし部を有さなくてもよい。また、カバー４０における円環状の板状部であるカバー本体４１の重心と、複数の引掛部４６の重心が、互いに異なる場合について説明した。しかし、カバーにおける円環状の板状部の重心と、複数の引掛部の重心は、一致してもよい。また、プレート３０の補強リブ３９が、凸部３９ｃを有する場合について説明した。しかし、プレートの補強リブは、凸部を有さなくてもよく、更には、プレートは、補強リブを有さなくてもよい。
【符号の説明】
【００３９】
１  照明器具、  ２  天井板、  ３  埋設孔、  ３０  プレート、  ３０ａ  プレートの上面、  ３１  第１位置決め突起、  ３２  第２位置決め突起、  ３６  プレートの照明本体挿通孔、  ３８  逃がし部、  ３９  補強リブ、  ３９ｃ  凸部、  ４０  カバー、  ４１  カバー本体（円環状の板状部）、  ４６  引掛部、  ４６ｂ  プレート係止部、  ５０  照明本体、  ５２  取付ばね、  ５４  ＬＥＤユニット。
【図１】
2019212375.tif 000003
【図２】
2019212375.tif 000004
【図３】
2019212375.tif 000005
【図４】
2019212375.tif 000006
【図５】
2019212375.tif 000007
【図６】
2019212375.tif 000008
【図７】
2019212375.tif 000009
【図８】
2019212375.tif 000010
【図９】
2019212375.tif 000011
【図１０】
2019212375.tif 000012
【図１１】
2019212375.tif 000013